(57)【要約】【課題】遊技機筐体の表面に存在するスペースを有効に活用する。【解決手段】遊技機筐体１は、遊技者から視認可能な位置に開設した窓部１１と、該窓部１１に臨むようにして遊技機筐体１内に配設された広告表示装置２０とを備える。広告表示装置２０は、表面に複数種類の広告を表示した無端ベルトと、該無端ベルトを掛け渡すための複数のローラ（従動ローラおよび駆動ローラ）を備え、該複数のローラの少なくとも１つが無端ベルトを回転駆動させるための駆動ローラとなる。広告表示装置２０は、遊技機筐体１に対して着脱可能とすることができ、無端ベルトは、広告表示装置２０に対して着脱可能とすることができる。【選択図】　　　　　図１
2004008405.tif 000002
【特許請求の範囲】
【請求項１】
遊技機本体を収納するための遊技機筐体であって、
外部から視認可能な位置に開設した窓部と、
該窓部に臨むようにして前記遊技機筐体内に配設された広告表示装置とを備え、
前記広告表示装置は、表面に少なくとも１種類の広告を表示した無端ベルトと、該無端ベルトを掛け渡すための複数のローラとを備え、該複数のローラの少なくとも１つが前記無端ベルトを回転駆動させるための駆動ローラであることを特徴とする遊技機筐体。
【請求項２】
前記広告表示装置は、前記遊技機筐体に対して着脱可能であることを特徴とする請求項１記載の遊技機筐体。
【請求項３】
前記無端ベルトは、前記広告表示装置に対して着脱可能であることを特徴とする請求項１または２記載の遊技機筐体。
【発明の詳細な説明】
【０００１】
【発明の属する技術分野】
本発明は、遊技機本体を収納するための遊技機筐体に関する。
【０００２】
【従来の技術】
遊技機本体を収納するための遊技機筐体は、遊技者に対峙するようにして設置されるため、遊技者が注目する機会が多い。このため、従来の遊技機筐体では、遊技者に対峙する前面部分に表示部を設け、この表示部に遊技方法、配当表、ロゴマーク等を表示していた。
【０００３】
【発明が解決しようとする課題】
しかしながら、従来の遊技機筐体では、前面部分に存在するスペースを、遊技方法等を表示するための表示部として利用しているだけであり、このスペースを有効に利用しているとは言い難かった。特に、遊技機筐体の前面に広範囲のスペースが存在するスロットマシンでは、せっかくのスペースが無駄となっていた。
遊技機筐体は、ある程度の時間、遊技者が対峙するものであり、遊技者の注目を集めることができる。このため、遊技機筐体の前面部分に存在するスペースを有効に活用することができれば、遊技機の価値を高めることができる。
【０００４】
本発明は、上述した事情に鑑み提案されたもので、遊技機筐体の前面部分に存在するスペースを有効に活用することを目的とする。
【０００５】
【課題を解決するための手段】
本発明に係る遊技機筐体は、上述した目的を達成するため、以下の特徴点を備えている。
すなわち、本発明に係る遊技機筐体は、遊技機本体を収納するための遊技機筐体であって、
外部から視認可能な位置に開設した窓部と、
該窓部に臨むようにして前記遊技機筐体内に配設された広告表示装置とを備え、
前記広告表示装置は、表面に少なくとも１種類の広告を表示した無端ベルトと、該無端ベルトを掛け渡すための複数のローラとを備え、該複数のローラの少なくとも１つが前記無端ベルトを回転駆動させるための駆動ローラであることを特徴とするものである。
【０００６】
ここで、前記広告表示装置は、前記遊技機筐体に対して着脱可能とすることが可能である。
【０００７】
また、前記無端ベルトは、前記広告表示装置に対して着脱可能とすることが可能である。
【０００８】
【発明の実施の形態】
以下、図面に基づいて、本発明に係る遊技機筐体の一実施形態を説明する。
図１は、本発明の実施形態に係る遊技機筐体の斜視図、図２は、広告表示装置の縦断面図である。
【０００９】
＜遊技機筐体１＞
本発明の実施形態に係る遊技機筐体１は、図１に示すように、その内部にスロットマシン本体を収納するためのもので、前面のほぼ中央より上部に、遊技機筐体１内に配設したリール２ａ，２ｂ，２ｃの表面を臨ませるための３個の表示窓３ａ，３ｂ，３ｃを横並びに設け、表示窓３ａ，３ｂ，３ｃの下方に、遊技に供する遊技メダルを投入するための遊技メダル投入口４、クレジットされた範囲内で遊技に供する遊技メダルを投入するための貯留メダル投入スイッチ（ベットスイッチ）５、クレジットされた遊技メダルを払い出すための貯留メダル精算スイッチ６、リール２ａ，２ｂ，２ｃの回転を一斉に開始させるためのスタートスイッチ７、および各リール２ａ，２ｂ，２ｃの回転を個別に停止させるための３個のストップスイッチ８ａ，８ｂ，８ｃ等を設けている。
【００１０】
また、遊技機筐体１の前面の下部には、遊技メダルを払い出すための遊技メダル払出口９を設けるとともに、遊技メダル払出口９に臨むようにして遊技メダルを貯留するためのメダル貯留皿１０を設けている。
【００１１】
さらに、遊技機筐体１の前面には、スタートスイッチ７およびストップスイッチ８ａ，８ｂ，８ｃと、遊技メダル払出口９との間に位置するようにして、遊技機筐体１内に配設した広告表示装置２０を臨ませるための窓部１１を設けている。
【００１２】
＜広告表示装置＞
広告表示装置２０は、図２に示すように、表面に複数種類の広告を表示した無端ベルト２１と、該無端ベルト２１を掛け渡すための一対の従動ローラ２２と、該無端ベルト２１を回転駆動させるための駆動ローラ２３とを備えており、無端ベルト２１、従動ローラ２２および駆動ローラ２３が筐体２５内に収容されている。なお、駆動ローラ２３は、モータ２４の駆動により回転するようになっている。
【００１３】
この広告表示装置２０は、遊技機筐体１に対して着脱可能となっている。したがって、遊技機筐体１から広告表示装置２０を取り外して、他の広告表示装置２０と交換することにより、他の種類の広告を表示することが可能となる。
【００１４】
また、無端ベルト２１は、従動ローラ２２および駆動ローラ２３に対して着脱可能となっている。したがって、無端ベルト２１を取り外して、他の無端ベルト２１と交換することにより、他の種類の広告を表示することが可能となる。
【００１５】
このように、本実施形態に係る遊技機筐体１では、広告表示装置２０を交換したり、あるいは無端ベルト２１のみを交換することにより、遊技店の所望に応じてバリエーションに富んだ広告を表示することができる。
【００１６】
＜制御装置＞
上記遊技機筐体１内に収容されたスロットマシンは、制御装置により電気的に制御される。図３、図４に基づいて、制御装置の構成を説明する。図３は、メイン制御基板および周辺機器のブロック図、図４は、サブ制御基板および周辺機器のブロック図である。
【００１７】
制御装置は、スロットマシンの遊技動作に関する主制御を行うためのメイン制御基板５０と、このメイン制御基板５０の制御の下に、広告表示装置２０等の動作を制御するためのサブ制御基板９０とを主な構成要素としている。
【００１８】
＜メイン制御基板＞
メイン制御基板５０は、図３に示すように、メインＣＰＵ５１、遊技処理手順等を記憶したＲＯＭ５２、一時記憶領域であるＲＡＭ５３、およびＩＯポート５４等を備えている。
【００１９】
メインＣＰＵ５１には、一定範囲の乱数を発生するための乱数発生器６１、乱数発生器６１で発生した乱数の中から任意の乱数を抽出するためのサンプリング回路６２、所定周波数の基準クロック信号を発生するためのクロックパルス発生器６４、および基準クロック信号を分周することによりメインＣＰＵ５１の動作クロック信号を生成するための分周器６３が接続されている。
【００２０】
また、メインＣＰＵ５１には、Ｉ／Ｏポート５４を介して、表示部駆動回路６５、ホッパ駆動回路６６、サブ制御部通信ポート６７、およびモータ駆動回路６９が接続されており、これらの回路等に対して制御信号を送信する。
【００２１】
表示部駆動回路６５は、各種ランプ１２および各種表示部１３における表示駆動を制御するための回路であり、ホッパ駆動回路６６は、ホッパ１４における遊技メダルの払い出しを制御するための回路であり、サブ制御部通信ポート６７は、サブ制御基板９０に対する信号を中継するための通信ポートであり、モータ駆動回路６９は、リール２ａ，２ｂ，２ｃを回転駆動するためのステッピングモータ１７ａ，１７ｂ，１７ｃの回転を制御するための回路である。ホッパ１４の駆動制御では、メダル検出部１５により遊技メダルを検出し、この検出出力がＩ／Ｏポート５４を介してメインＣＰＵ５１に入力され、メインＣＰＵ５１からの制御信号によりホッパ駆動回路６６を制御して、所定数の遊技メダルが払い出される。
【００２２】
また、メインＣＰＵ５１には、Ｉ／Ｏポート５４を介して、リール位置検出回路６８、リール停止信号回路７０、スタートスイッチ７、メダル投入センサ１６、貯留メダル投入スイッチ５、および貯留メダル精算スイッチ６が接続されており、これらの回路およびスイッチからメインＣＰＵ５１に対して信号が入力される。
【００２３】
リール位置検出回路６８には、各リール２ａ，２ｂ，２ｃの回転位置を検出するための光学センサ等からなる位置検出センサ（図示せず）が設けられており、この位置検出センサで検出された各リール２ａ，２ｂ，２ｃの位置検出信号がメインＣＰＵ５１へ送信される。
【００２４】
リール停止信号回路７０には、ストップスイッチ８ａ，８ｂ，８ｃが接続されており、遊技者がストップスイッチ８ａ，８ｂ，８ｃを操作すると、これを検知してストップスイッチ検出信号がメインＣＰＵ５１へ送信される。
【００２５】
＜サブ制御基板＞
サブ制御基板９０は、メイン制御基板５０からの制御信号に基づいて広告表示装置２０を制御するとともに、効果音の発生に関する制御を行う。
このサブ制御基板９０は、図４に示すように、サブＣＰＵ７１、広告表示装置２０および音源ＩＣ８４の制御手順等を記憶したＲＯＭ７２、一時記憶領域であるＲＡＭ７３、およびＩＯポート７４等を備えている。
【００２６】
サブＣＰＵ７１には、所定周波数の基準クロック信号を発生するためのクロックパルス発生器８２、および基準クロック信号を分周することによりサブＣＰＵ７１の動作クロック信号を生成するための分周器８１が接続されている。
【００２７】
また、サブＣＰＵ７１には、Ｉ／Ｏポート７４を介して、メイン制御部通信ポート８６が接続されている。このメイン制御部通信ポート８６は、メイン制御基板５０のサブ制御部通信ポート６７と接続されており、メイン制御基板５０からの制御信号を受信する。
【００２８】
また、サブＣＰＵ７１には、Ｉ／Ｏポート７４を介して、音源ＩＣ８４、モータ駆動回路８７、およびベルト位置検出回路８８が接続されており、これらの回路等の間で信号の授受を行う。
【００２９】
音源ＩＣ８４は、サウンドＲＯＭ８３に記憶された音源データに基づいて効果音信号を生成し、この効果音信号がパワーアンプ８４により増幅されてスピーカ８５から出力される。
【００３０】
モータ駆動回路８７は、モータ２４に対して制御信号を送信して、無端ベルト２１の駆動を制御するための回路である。また、ベルト位置検出回路８８には、無端ベルト２１の回転位置を検出するための光学センサ等からなる位置検出センサ（図示せず）が設けられている。
【００３１】
無端ベルト２１の駆動制御では、ベルト位置検出回路８８により無端ベルト２１の回転位置を検出し、この検出出力がＩ／Ｏポート７４を介してサブＣＰＵ７１に入力され、サブＣＰＵ７１からの制御信号によりモータ駆動回路８７を制御して、所定位置で無端ベルト２１を停止させ広告表示を行う。無端ベルト２１の表面には複数の広告が表示されており、無端ベルト２１を回転させて所定位置で停止させることにより、各広告を順次表示することができる。
【００３２】
なお、無端ベルト２１の回転に関する時間間隔、すなわち広告の表示時間間隔は、遊技店の所望に応じて適宜設定することができる。また、従動ローラ２２の間隔を調節したり、従動ローラ２２の個数を増減することにより、無端ベルト２１の長さを調節することができ、これにより表示可能な広告量を調整することができる。さらに、複数の機種で、広告表示装置２０あるいは無端ベルト２１の規格を統一することにより、遊技店の所望に一層柔軟に対応することができる。
【００３３】
＜他の実施形態＞
なお、上述した実施形態では、遊技機筐体１の前面下部に広告表示装置２０が臨む窓部１１を設けているが、窓部１１の位置はこれに限られず、外部から視認可能な位置であればどのような位置に設けてもよく、例えば、遊技機筐体１の前面上部に窓部１１を設けることができる。なお、この場合にも、広告表示装置２０は、無端ベルト２１の表面が窓部１１内に臨むようにして遊技機筐体１内に配設される。
【００３４】
【発明の効果】
以上説明したように、本発明に係る遊技機筐体によれば、遊技者等の注目が集まる遊技機筐体の前面部分に存在するスペースに広告表示装置を臨ませることにより、遊技機筐体の前面部分に存在するスペースを有効に活用することができる。
【００３５】
また、遊技者は、ある程度の時間、遊技機に向かって遊技を行うため、広告表示装置に表示される広告に注目することとなり、優れた広告効果を奏することができる。さらに、広告表示装置による広告収入を勘案すると、遊技機の製造コストに広告収入を算入することができ、遊技機のコストダウンを図ることができる。
【００３６】
また、本発明に係る遊技機筐体によれば、遊技機筐体に対して広告表示装置を着脱可能としたり、あるいは無端ベルトを着脱可能とすることにより、遊技店の所望に応じてバリエーションに富んだ広告表示を行うことができる。
【００３７】
【図面の簡単な説明】
【図１】本発明の実施形態に係る遊技機筐体の斜視図
【図２】広告表示装置の縦断面図
【図３】メイン制御基板および周辺機器のブロック図
【図４】サブ制御基板および周辺機器のブロック図
【符号の説明】
１　遊技機筐体
１１　窓部
２０　広告表示装置
２１　無端ベルト
２２　従動ローラ
２３　駆動ローラ
２４　モータ
【図１】
2004008405.tif 000003
【図２】
2004008405.tif 000004
【図３】
2004008405.tif 000005
【図４】
2004008405.tif 000006